(57)【要約】【課題】製造コストの軽減が図れ、しかも製造が簡単で汎用性のあるブラシを提供する。【解決手段】吸引ノズル等の先端部に取り付けられるブラシにおいて、フック側又はループ側の一方のファスナーテープに毛材が接合されており、吸引ノズル等の先端部に接合された他方側のファスナーテープに着脱可能な構成とされていることを特徴とする。【選択図】図１
0003133063.tif 000002
【実用新案登録請求の範囲】
【請求項１】
吸引ノズル等の先端部に取り付けられるブラシにおいて、
フック側又はループ側の一方のファスナーテープに毛材が接合されており、
吸引ノズル等の先端部に接合された他方側のファスナーテープに着脱可能な構成とされていることを特徴とする、ブラシ。
【請求項２】
ブラシは吸引ノズル等の先端部に巻き付けるように取り付けられることを特徴とする、請求項１に記載のブラシ。
【請求項３】
ブラシは平板状に形成されており、複数枚のブラシで角部が形成されるように吸引ノズル等の先端部に取り付けられることを特徴とする、請求項１に記載のブラシ。
【請求項４】
ブラシの毛材の外周部にループ側のファスナーテープが、そのループを形成した面を外方に向けて接合されており、フック側のファスナーテープに毛材が接合されたブラシが着脱可能な構成とされていることを特徴とする、請求項１〜請求項３のいずれか一に記載のブラシ。
【請求項５】
所定の位置の毛材は毛足が長いことを特徴とする、請求項１〜請求項４のいずれか一に記載のブラシ。
【請求項６】
毛材は両面接着テープを介して複数層積層されていることを特徴とする、請求項１〜請求項５のいずれか一に記載のブラシ。
【考案の詳細な説明】
【技術分野】
【０００１】
本考案は、吸引ノズル等の先端部に取り付けられるブラシの技術分野に属する。
【背景技術】
【０００２】
ブラシとしては、（Ｉ）吸引ノズル等の先端平面部に穴を形成し毛材を植毛した一体構成のブラシと、（ＩＩ）吸引ノズル等の先端部に着脱可能な構成のブラシとに大別することができる。
【０００３】
上記（ＩＩ）の構成のブラシは、吸引ノズル等の先端平面部が狭く、同先端平面部に多数の穴を形成できない際に、好適に採用されるもので、例えば、金属製のチャンネル内に心線を介して横断面Ｕ字状に毛材を配し、チャンネル開口部をかしめて多数の毛材を植設したチャンネルブラシが知られている。本出願人も、吸引ノズル等の先端部に着脱可能な構成のチャンネルブラシを開発し出願している（例えば、特許文献１）。
【０００４】
【特許文献１】実用新案登録第３１２３７７４号公報
【考案の開示】
【考案が解決しようとする課題】
【０００５】
上記（Ｉ）の構成のブラシは、吸引ノズル等の先端平面部に多数の穴を形成する必要があり、製造が煩雑である。しかも、毛材が磨り減った際に、毛材のみを交換することができず、不経済である。
【０００６】
上記（ＩＩ）の構成のブラシは、上記（Ｉ）の構成のブラシの問題点を解消している。しかし、上記（ＩＩ）の構成のブラシは、ブラシを取り付ける吸引ノズル等のサイズに応じて型を成形し、その型に沿って毛材が植設されたチャンネルを巻き付けて製造するので、取り付ける吸引ノズル等のサイズに応じて型が必要で、コストが嵩む。しかも、取り付ける吸引ノズル等のサイズに応じてブラシを製造する必要があり、煩雑で汎用性がない。
【０００７】
本考案の目的は、製造コストの軽減が図れ、しかも製造が簡単で汎用性のあるブラシを提供することである。
【課題を解決するための手段】
【０００８】
上記背景技術の課題を解決するための手段として、請求項１に記載した考案に係るブラシは、
吸引ノズル等の先端部に取り付けられるブラシにおいて、
フック側又はループ側の一方のファスナーテープに毛材が接合されており、
吸引ノズル等の先端部に接合された他方側のファスナーテープに着脱可能な構成とされていることを特徴とする。
【０００９】
請求項２記載の考案は、請求項１に記載のブラシにおいて、
ブラシは吸引ノズル等の先端部に巻き付けるように取り付けられることを特徴とする。
【００１０】
請求項３記載の考案は、請求項１に記載のブラシにおいて、
ブラシは平板状に形成されており、複数枚のブラシで角部が形成されるように吸引ノズル等の先端部に取り付けられることを特徴とする。
【００１１】
請求項４記載の考案は、請求項１〜請求項３のいずれか一に記載のブラシにおいて、
ブラシの毛材の外周部にループ側のファスナーテープが、そのループを形成した面を外方に向けて接合されており、フック側のファスナーテープに毛材が接合されたブラシが着脱可能な構成とされていることを特徴とする。
【００１２】
請求項５記載の考案は、請求項１〜請求項４のいずれか一に記載のブラシにおいて、
所定の位置の毛材は毛足が長いことを特徴とする。
【００１３】
請求項６記載の考案は、請求項１〜請求項５のいずれか一に記載のブラシにおいて、
毛材は両面接着テープを介して複数層積層されていることを特徴とする。
【考案の効果】
【００１４】
本考案に係るブラシは、平面状に毛材を並べ、毛材の所定の高さ位置にフック側又はループ側のファスナーテープを接合し、最後に毛材の余分な部分をハサミ等で切り取るだけで、製造することができる。そのため、ブラシの製造に特別な部材が不要で製造コストを軽減でき、しかも簡単に製造することができる。
【００１５】
また、ファスナーテープは折り曲げ自在であり、吸引ノズル等の先端部の形状を問わず、吸引ノズル等にフック側又はループ側の一方のファスナーテープが接合されていれば、ブラシに接合された他方側のファスナーテープを留めて取り付けることができ、汎用性が高い。
【００１６】
さらに、従来のブラシのように金属材料を使用しないので、軽量で取り回しやすい。もちろん、簡単に交換することができる。
【考案を実施するための最良の形態】
【００１７】
本考案に係るブラシの実施形態を図面に基づいて説明する。
【００１８】
本実施形態のブラシ１は、楕円形の吸引口を有する吸引ノズル２の先端部に好適に取り付けられる（図１を参照）。
【００１９】
このブラシ１は、フック側のファスナーテープ３に毛材４が接合されている。
【００２０】
フック側のファスナーテープ３は、吸引ノズル２の先端外周部に巻き付けるのに十分な長さを有する基材テープ３ａの一方の面に多数のフック３ｂが形成された通例のフックファスナーであって、他方の面に両面接着テープ５を介して、毛材４の上部が接合されている（図２を参照）。なお、図１の網掛け部分がファスナーテープ３のフック３ｂが形成された面である。
【００２１】
毛材４は、天然毛材あるいは人工毛材に関わらず選択することができるが、例えば、ポリエチレン、ナイロン、ポリプロピレン等の合成樹脂製の毛材が腰が強くて好ましい。特に、本実施形態では、発泡剤と帯電防止剤を含有するポリエチレン製の押し出し成型毛材を採用している。このポリエチレン製の押し出し成型毛材は発泡剤を含有するので、毛材４内に空気層を形成し易く、軽くて耐衝撃性を有し、被処理物に傷が付きにくい。加えて、このポリエチレン製の押し出し成型毛材は帯電防止剤を含有するので、静電気の発生を防止して被処理物が金属製品である場合にもスパークの発生を抑制することができる。
【００２２】
帯電防止剤を含有する毛材４としては、例えば、カーボンを６ナイロンの表面上に剥離しないように均等にコティングしたものや、アクリル繊維に硫化銅を混入した導電性繊維などが挙げられるが、特にカーボンを混入した場合には毛材の腰が強くなる。
【００２３】
この毛材４の先端部は枝分かれ形状に先割れ４ａしており、この枝分かれ形状は押し出し成型により形成される（図３を参照）。毛材４の先端部は枝分かれ形状に限定されるものではなく、十字形状等の他の先割れ形状であっても構わない。このように毛材４の先端部が先割れ４ａしているので、根元部分の腰を強く保ちながら、毛先が柔軟で埃を掻き出し易いブラシを形成することができる。さらに、本実施形態では、前記毛材４の毛先を裂いて感触を軟らかくしており、被処理物の表面に傷が付かないように工夫されている。
【００２４】
上記構成のブラシ１は、平面状に毛材４を並べ、毛材４の所定の高さに両面接着テープを介してフック側のファスナーテープ３を接合し、最後に毛材４の余分な部分をハサミ等で切り取るだけで、製造することができる。そのため、ブラシ１の製造に特別な部材が不要で製造コストを軽減でき、しかも簡単に製造することができる。
【００２５】
このブラシ１は、フック側のファスナーテープ３が内側になるように、吸引ノズル２の先端外周部に巻き付け、吸引ノズル２の先端外周部に接合されたループ側のファスナーテープ６に、前記フック側のファスナーテープ３を留めて取り付ける（図４を参照）。一方、取り外すときは、ブラシ１のフック側のファスナーテープ３を吸引ノズル２のループ側のファスナーテープ６から剥ぎ取る。つまり、ブラシ１は吸引ノズル２に対して着脱可能な構成とされている。
【００２６】
ちなみに、ループ側のファスナーテープ６は、吸引ノズル２の先端外周部に巻き付けるのに十分な長さを有する基材テープの一方の面に、多数のループが形成された通例のループファスナーであって、他方の面が、両面接着テープを介して吸引ノズル２の先端外周部に接合されている（図示は省略）。なお、図１の斜線部分がファスナーテープ６のループが形成された面である。
【００２７】
ブラシ１のフック側のファスナーテープ３及び吸引ノズル２のループ側のファスナーテープ６は、折り曲げ自在であり、吸引ノズル２の先端部の形状を問わず、吸引ノズル２にループ側のファスナーテープ６が接合されていれば、ブラシ１を取り付けることができ、汎用性が高い。例えば円形の吸引口を有する吸引ノズル１２の先端外周部に接合されたループ側のファスナーテープ６に取り付けることができる（図５を参照）。この場合、余分な部分はハサミ等で切り取れば良い。
【００２８】
しかも、従来のブラシのように金属材料を使用しないので、軽量で取り回しやすい。もちろん、簡単に交換することができる。
【００２９】
なお、ブラシ１の毛材４の外周上部にループ側のファスナーテープ１６を、そのループ１６ａを形成した面を外方に向けて接合すると、フック側のファスナーテープに毛材が接合された新たなブラシを前記ブラシ１の外周に取り付けることができ、好都合である（図２を参照）。新たなブラシを取り付けないで、使用する際には、ループ側のファスナーテープ１６のループ１６ａが外方に配置されているので、被処理物の表面を傷つけることがない。
【００３０】
また、所定の位置、つまり本実施形態では吸引ノズル２の前方位置に配置される毛材４の毛足が長いと良い。ブラシ１が吸引ノズル２に取り付けられた際に、吸引ノズル２の前方位置に配置された毛材４を用いて、頻繁に被処理物の表面に付着した埃が掻き出されるので、当該位置の毛材４の擦り減り量が多いからである。
【００３１】
上記実施形態のブラシ１は、吸引ノズル２（１２）に巻き付ける構成とされているが、この限りでない。すなわち、平板状のブラシ１１を形成し、複数枚のブラシ１１で角部が形成されるように吸引ノズル２（１２）に取り付けても良い（図６を参照）。例えば４枚のブラシ１１で平面四角形に形成することができ、被処理物の角部の処理が容易となる。但し、１枚のブラシ１１のみを吸引ノズル２（１２）の所定の位置に取り付けても良く、また、複数枚のブラシ１１を吸引ノズル２（１２）に取り付けて平面多角形を形成しても良い。
【００３２】
上記実施形態のブラシ１（１１）は、毛材４が一層構造であったが、両面接着テープ１５を介して複数層積層されていても良い（図７を参照）。つまり、本考案のブラシは、簡単に毛材４の量を調整することができる。
【００３３】
上記実施形態のブラシ１（１１）は、吸引ノズル２（１２）に取り付けているが、エアーガンの先端部に取り付けても良く、要するに、取り付ける部材は、フック側又はループ側のファスナーテープが接合されている部材であれば、特に限定されない。
【００３４】
上記実施形態では、フック側のファスナーテープ３に毛材４を接合し、吸引ノズル２（１２）にループ側のファスナーテープ６を接合しているが、ループ側のファスナーテープに毛材を接合し、吸引ノズルにフック側のファスナーテープを接合しても良い。
【図面の簡単な説明】
【００３５】
【図１】本考案に係るブラシを吸引ノズルに取り付ける様子を示した概略図である。
【図２】本考案に係るブラシの拡大断面図である。
【図３】毛材の拡大断面図である。
【図４】本考案に係るブラシを吸引ノズルに取り付けた状態を示す概略図である。
【図５】本考案に係る異なるブラシを吸引ノズルに取り付ける様子を示した概略図である。
【図６】本考案に係る更に異なるブラシを吸引ノズルに取り付ける様子を示した概略図である。
【図７】毛材を積層したブラシの拡大断面図である。
【符号の説明】
【００３６】
１、１１  ブラシ
２、１２  吸引ノズル
３  フック側のファスナーテープ
４  毛材
５、１５  両面接着テープ
６、１６  ループ側のファスナーテープ
【図１】
0003133063.tif 000003
【図２】
0003133063.tif 000004
【図３】
0003133063.tif 000005
【図４】
0003133063.tif 000006
【図５】
0003133063.tif 000007
【図６】
0003133063.tif 000008
【図７】
0003133063.tif 000009